(57)【要約】      （修正有）【課題】容器内のベース液体を純粋で混合されていない状態のままにおきながら、ユーザが摂取や他の用途のために添加剤をベース液体と混ぜ合わせることができる添加物カートリッジを提供すること。【解決手段】計量可能な添加剤カートリッジ１００は、容器本体とねじにより密封係合されるキャップ２０を有する携帯可能な水筒等の容器と組み合わせて使用される。カートリッジ１００は、カートリッジ基部１２０の対応するねじ式保持部１２１が固定されるねじ式カートリッジ保持用環状部品２２を含む容器キャップ２０に固定されている。カートリッジ１００のキャップへの確実な密封係合を提供するために、スナップフィット要素、Ｏリング等のその他の手段を使用することができる。【選択図】図４
2020182859.tif 000002
【特許請求の範囲】
【請求項１】
通過するベース液体に所望量の添加剤を供給するカートリッジであって、
通過するベース液体の流れを許容するようにその内部に画定されるベース液体流路を有
するカートリッジ基部であって、添加剤の供給源を含むように前記カートリッジ基部の内
部に画定される添加剤リザーバーを含み、前記添加剤リザーバーから前記ベース液体流路
への添加剤の流れを許容し添加剤流路を更に画定する前記カートリッジ基部と、
前記カートリッジ基部と協働し、前記カートリッジ基部内に画定された注ぎ口液体流路
を含む注ぎ口であって、前記注ぎ口液体流路が前記ベース液体流路から注ぎ口の供給端部
に添加剤とベース液体の混合物の流れを許容するものである、前記注ぎ口と、
前記添加剤流路内に配置され、前記添加剤流路から前記ベース液体流路への添加剤の流
れを調整する計量要素と
を含む前記カートリッジ。
【請求項２】
前記計量要素は、前記注ぎ口上の表面を含んで構成される、請求項１に記載のカートリ
ッジ。
【請求項３】
前記計量要素は、前記カートリッジ基部に画定される少なくとも一つのポートを含んで
構成され、前記ポートは、前記添加剤流路の少なくとも一部を画定する、請求項１に記載
のカートリッジ。
【請求項４】
前記注ぎ口は、前記カートリッジ基部と協働して前記カートリッジ基部に対して回転可
能であり、前記添加剤流路から前記ベース液体流路へと流れる添加剤の流れを調整する、
請求項１に記載のカートリッジ。
【請求項５】
前記添加剤リザーバーは、前記カートリッジ基部の内部環状壁と外部環状壁との間の環
状空間として画定され、前記計量要素は、前記カートリッジ基部の前記内部環状壁に形成
されたマトリックス状の開口を含む、請求項１に記載のカートリッジ。
【請求項６】
前記注ぎ口は、前記カートリッジ基部内の対応する環状部内に嵌合する環状脚を含み、
前記計量要素は、前記注ぎ口の前記環状脚に、前記開口の一以上を選択的に閉塞する表面
を更に含む、請求項５に記載のカートリッジ。
【請求項７】
前記ベース液体の逆流を防止する逆止弁を更に含む請求項１に記載のカートリッジ。
【請求項８】
前記注ぎ口液体流路内に配置され、前記添加剤及びベース液体の混合物の混合を促進す
る乱流生成突起部を更に含む請求項１に記載のカートリッジ。
【請求項９】
前記基部は、容器のねじ部分に対応して係合するねじ式カラーを含む、請求項１に記載
のカートリッジ。
【請求項１０】
前記注ぎ口は、前記カートリッジ基部内で回転可能であり、前記注ぎ口は、複数の計量
調整戻り止めを含み、前記カートリッジ基部は、前記計量調整戻り止めと係合するように
なっており、前記カートリッジ基部に対して前記注ぎ口を一定の回転位置に固定する干渉
突出部を含む、請求項１に記載のカートリッジ。
【請求項１１】
ベース液体を収容する内部空間を有する容器と、
前記容器を封止し、カートリッジをその内部に収容するようになっており、前記容器の
内部空間から前記ベース液体が流れることを許容するようにその内部に画定されたキャッ
プ流路を含むキャップと、
通過するベース液体に所望量の添加剤を供給するカートリッジと
を含む計量可能な添加剤供給システムであって、
前記カートリッジは、
i)  通過するベース液体の流れを許容するようにその内部に画定されるベース液体流路
を有するカートリッジ基部であって、添加剤の供給源を含むように前記カートリッジ基部
の内部に画定される添加剤リザーバーを含み、前記添加剤リザーバーから前記ベース液体
流路への添加剤の流れを許容し添加剤流路を更に画定する前記カートリッジ基部と、
ii)  前記カートリッジ基部と協働し、前記カートリッジ基部内に画定された注ぎ口液
体流路を含む注ぎ口であって、前記注ぎ口液体流路が前記ベース液体流路から注ぎ口の供
給端部に添加剤とベース液体の混合物の流れを許容するものである、前記注ぎ口と、
iii)  前記添加剤流路内に配置され、前記添加剤流路から前記ベース液体流路への添加
剤の流れを調整する計量要素と
を含む前記システム。
【請求項１２】
前記計量要素は、前記注ぎ口上の表面を含んで構成される、請求項１１に記載のシステ
ム。
【請求項１３】
前記計量要素は、前記カートリッジ基部に画定される少なくとも一つのポートを含んで
構成され、前記ポートは、前記添加剤流路の少なくとも一部を画定する、請求項１１に記
載のシステム。
【請求項１４】
前記注ぎ口は、前記カートリッジ基部と協働して前記カートリッジ基部に対して回転可
能であり、前記添加剤流路から前記ベース液体流路へと流れる添加剤の流れを調整する、
請求項１１に記載のシステム。
【請求項１５】
前記添加剤リザーバーは、前記カートリッジ基部の内部環状壁と外部環状壁との間の環
状空間として画定され、前記計量要素は、前記カートリッジ基部の前記内部環状壁に形成
されたマトリックス状の開口を含む、請求項１１に記載のシステム。
【請求項１６】
前記注ぎ口は、前記カートリッジ基部内の対応する環状部内に嵌合する環状脚を含み、
前記計量要素は、前記注ぎ口の前記環状脚に、前記開口の一以上を選択的に閉塞する表面
を更に含む、請求項１５に記載のシステム。
【請求項１７】
前記ベース液体の逆流を防止する逆止弁を更に含む請求項１１に記載のシステム。
【請求項１８】
前記注ぎ口液体流路内に配置され、前記添加剤及びベース液体の混合物の混合を促進す
る乱流生成突起部を更に含む請求項１１に記載のシステム。
【請求項１９】
前記基部は、容器のねじ部分に対応して係合するねじ式カラーを含む、請求項１１に記
載のシステム。
【請求項２０】
前記注ぎ口は、前記カートリッジ基部内で回転可能であり、前記注ぎ口は、複数の計量
調整戻り止めを含み、前記カートリッジ基部は、前記計量調整戻り止めと係合するように
なっており、前記カートリッジ基部に対して前記注ぎ口を一定の回転位置に固定する干渉
突出部を含む、請求項１１に記載のシステム。
【発明の詳細な説明】
【技術分野】
【０００１】
［関連出願の相互参照］
本出願は、２０１４年１１月２１日に出願の米国仮出願第６２／０８３，１２９号「計
量可能な添加剤のカートリッジシステム」に適用されるすべての条項、法律及び条約に基
づく優先権の利益を主張するものであり、その全体が参照することにより本明細書に組み
込まれる。本出願の要素又は主題、又は上記仮出願の明細書、請求項又は図面の一部が他
の態様で本出願に含まれていない場合、適用される規則、手続き又は法律の一部又は全体
の規定によって、その要素、主題又は一部は、参照することにより本出願に組み込まれる
。
【０００２】
本発明は、飲料及びその他の製品のための液体の保存、分配及び供給システムに関する
。より具体的には、本発明は、水等のベース液体がカートリッジを通過する際に、香料濃
縮物や栄養補給剤、ビタミン補助食品等の添加剤を、制御され調整可能な量だけベース液
体に加えるためにカートリッジを利用する分配及び供給システムに関する。また、本発明
は、カートリッジ及び容器システムに関し、ある供給されるベース液体に対して、それぞ
れが異なる添加剤を有する複数のカートリッジをユーザが使用できるようにし、容器（す
なわち、水筒（water bottle））内のベース液体を純粋で混合されていない状態のままに
おきながら、ユーザが摂取や他の用途のために添加剤をベース液体と混ぜ合わせることが
できるようにする。
【背景技術】
【０００３】
従来技術は、ベース液体に添加剤を加えるための様々な装置を含む。このような装置は
、米国特許第７，３０６，１１７号に記載されているようなプレミックスシステムを含む
。当該プレミックスシステムでは、所定量の添加剤が容器内のベース液体中に分配され、
摂取前に混合される。従来技術のシステムはまた、容器からベース液体が供給される際に
添加剤がベース液体に提供される装置を含む。このような供給システムとして、米国特許
第８，２３０，７７７号には、固形のサプリメントを含むサプリメント領域（supplement
area）をベース液体が通過する供給システムが開示され、また、米国特許第８，４１３
，８４４号には、フィルタと、水差しから水を注ぐ際に添加剤が分配される添加剤チャン
バとを有する水差し（ピッチャー）が開示されている。
【０００４】
[課題を解決するための手段]
本発明の一態様は、ベース液体がカートリッジを通過する際に、該ベース液体に対し添
加剤の調整可能な計量を提供する計量可能な添加剤のカートリッジを提供する。カートリ
ッジは、スポーツボトル又は既製の水筒のような携帯用容器に容易に適合させることがで
きる。カートリッジは、ベース液体がカートリッジを通過する際に、ベース液体に添加剤
を提供するので、カートリッジと共に使用される容器内のベース液体を混合されていない
純粋な状態に保ちながら、添加剤とベース液体との混合物を提供することができる。更に
、本発明の他の態様では、ある容器及びある供給されるベース液体と共に使用可能で、そ
れぞれが異なる添加剤（すなわち、香料（flavor））を有する、複数のカートリッジの使
用を可能にする。本発明の態様によるモジュール式添加剤カートリッジは、供給されるベ
ース液体を保存する容器と共に使用され、消費者あるいはユーザが、異なる香料や異なる
サプリメントの組み合わせ等の様々な添加剤を、同一のベース液体と共に経験することを
可能にする。
【０００５】
本発明の更なる他の態様は、カートリッジ内に流入するベース液体を濾過するための一
体型フィルタを有する添加剤カートリッジを提供する。
【０００６】
本発明の更なる他の態様は、長期保存用に封止され、購入や使用前の完全性、品質及び
／又は未開封であることをユーザあるいは消費者に対して明示するために封止された添加
剤カートリッジを提供する。
【０００７】
本発明の更なる他の態様は、ベース液体に添加される添加剤量の視覚的及び触覚的なイ
ンジケータを複数有する添加剤カートリッジを提供する。
【０００８】
本発明の更なる他の態様は、カートリッジと容器の組み合わせを提供し、容器は、当該
容器上に予備の添加剤を計量可能なカートリッジを保持する要素を含む。
【０００９】
別途の定義がされない限り、本明細書で使用される全ての技術用語及び科学用語は、本
発明が関連する技術分野の当業者によって一般的に理解されているものと同じ意味を有し
ている。本明細書に記載されたものと同様の他の実施形態、方法及び材料を、本発明を実
施するために使用することができるが、適切かつ例示的な実施形態、方法及び材料を以下
に記載する。本明細書で言及された全ての刊行物、特許出願、及び他の参考文献は、その
全内容が参照することにより本明細書に組み入れられる。矛盾する場合は、定義を含む本
明細書に従うものとする。更に、材料、方法及び実施例は、例示的なものに過ぎず、決し
て限定することを意図するものではない。本発明の一以上の実施形態の詳細は、添付の図
面及び以下で詳述される。本発明の他の特徴、目的及び利点は、明細書、図面及び特許請
求の範囲の記載から明らかになるであろう。
【図面の簡単な説明】
【００１０】
本発明の上記及びその他の付随する利点及び特徴は、添付の図面と併せて以下の詳細な
説明から明らかになるであろう。ここでは、同様の参照番号が、全体を通して同様の要素
を表す。説明及び実施形態は、例示的な実施例として意図されており、添付の特許請求の
範囲に記載されている本発明の範囲を限定するものではないことは理解されよう。
【００１１】
【図１】図１は、本発明の一態様による例示的なカートリッジ及び容器システムの斜視図である。
【図２】図２は、図１に記載のカートリッジ及び容器システムの上面図である。
【図３】図３は、図１に記載のカートリッジ及び容器システムの底面図である。
【図４】図４は、図１に記載のカートリッジ及び容器システムの断面図である。
【図５】図５は、図１に記載のカートリッジ及び容器システムの分解斜視図である。
【図６】図６は、図１に記載のカートリッジ及び容器システムの底面斜視図である。
【図７】図７は、本発明の一態様による例示的なカートリッジの斜視図である。
【図８】図８は、図７に記載のカートリッジの側面図である。
【図９】図９は、図７に記載のカートリッジの上面図である。
【図１０】図１０は、図７に記載のカートリッジの底面図である。
【図１１】図１１は、組み付け構造における図７に記載のカートリッジの断面図である。
【図１２】図１２は、図７に記載のカートリッジの分解断面図である。
【図１３】図１３は、図７に記載のカートリッジの分解斜視図である。
【図１４】図１４は、図７に記載のカートリッジの図１１における１４−１４面内における上面断面図である。
【発明を実施するための形態】
【００１２】
図１及び図２を参照すると、本発明の一態様による例示的な計量可能な添加剤カートリ
ッジ１００は、容器本体とねじにより密封係合されるキャップ２０を有する携帯可能な水
筒（water bottle）等の容器１０と組み合わせて使用される。キャップ２０は、一体に形
成される運搬ハンドル２４を含むことができる。容器１０の内部への空気の流入を可能に
するため、キャップ２０には一以上の通気孔２１が設けられている。
【００１３】
本発明の更なる態様による、図１に記載の容器１０の底面図である図３を更に参照する
と、計量可能な添加剤カートリッジと組み合わせて使用される容器は、一以上の予備カー
トリッジ１００Ｓを容器にしっかりと固定するための手段を含むことができる。
【００１４】
図４及び図５では、本発明の態様による例示的な容器及びカートリッジシステムの主要
な構成要素を更に詳細に示す。使用中のカートリッジ１００は、カートリッジ基部１２０
の対応するねじ式保持部１２１が固定されるねじ式カートリッジ保持用環状部品２２を含
む容器キャップ２０に固定されている。理解されるように、カートリッジ１００のキャッ
プへの確実な密封係合を提供するために、スナップフィット要素、Ｏリング等のその他の
手段を使用することができる。
【００１５】
同様に、更に図６を参照すると、予備カートリッジ１００Ｓは、容器１０の底部に固定
され、該底部に形成された凹部１１内に収容される。予備カートリッジ保持用環状部品１
４も容器の底部に形成又は固定され、予備カートリッジ１００Ｓの基部１２０におけるね
じ式保持部１２１の螺合を提供する。係合用ギザギザ（gripping teeth）１６のような幾
つかのグリッピング要素は、容器が表面で滑ることを防止するために、容器１０の底部に
形成される。
【００１６】
フィルタアセンブリ（特に、図４及び図５を参照）は、容器からのベース液体の流入を
可能にするために少なくとも一つの流路４８を有するフィルタハウジング４２と、キャッ
プ２０の裏面にねじ式フィルタ保持カラー２１（図４参照）と螺合するためのねじ式カラ
ー４４と、を含む。ベース液体が容器からフィルタアセンブリを通ってカートリッジ１０
０に流れる際に、容器１０に含まれるベース液体を濾過するために、中実又は環状の多孔
質の活性炭濾過エレメント４６がフィルタハウジング４２内に収容されている。液体が分
配される際に、その流出を防止しながら容器内への空気の流入を可能にするために、シリ
コーン製吸気弁２６がキャップ内に設けられている。
【００１７】
図７から図１４は、本発明の態様による例示的なカートリッジ１００を示す。カートリ
ッジ１００は、カートリッジ基部１２０にスナップフィット（snap fit）され、後述する
計量可能なカートリッジよって提供される香味の強さを示すための視覚的及び触覚的な複
数のインジケータ１２３を備えるテーパー状のねじ式保持カラー１２１（collar）を有す
る、注ぎ口封止キャップ１６０を含む。注ぎ口封止キャップ１６０、及びカートリッジ１
００の全体は、購入前及び使用前にカートリッジの品質、安全性及び不正開封のない状態
を保証するために、収縮包装された壊れやすいプラスチック膜等の不正開封防止要素（図
示省略）をカートリッジ全体に備えている。
【００１８】
特に図１１及び図１２を参照すると、カートリッジ１００は、概して、注ぎ口１４０と
、カートリッジ基部１２０と、注ぎ口封止キャップ１６０の３つの構成要素を備えている
。注ぎ口１４０及びカートリッジ基部１２０は協働して、図１１の矢印Ｂによって参照さ
れるベース液体流路への、カートリッジからの計量可能な添加剤の流れを提供する。また
、図１１の矢印Ａによって参照される添加剤流路が、カートリッジ内に画定される（注ぎ
口脚１５０によって添加剤流路は塞がれている）。ベース液体の流れと添加剤の流れは、
図１１の矢印「ＡＢ」で参照される添加剤及びベース液体の混合流路内で混合される。
【００１９】
カートリッジ基部１２０は、環状添加剤リザーバー１２８を画定する、内部環状壁１２
２、外部環状壁１２６及びカートリッジ底壁１３３を含む。当該底壁１３３は、ベース液
体を、例えば上述したフィルタアセンブリの流出口からカートリッジ内に流入させる一以
上の流入口１３０（図１０も参照）を有する。ベース液体逆止弁１３５は、底壁１３３に
固定されることができ、カートリッジ１００の底壁１３３を通って開口１２５で摩擦によ
り固定される脚部を備えた可撓性シリコーンゴム「ボタン」形状要素を含む。逆止弁１３
５は、カートリッジ１００内へのベース液体の一方向流れのみを確実にし、フィルタアセ
ンブリ及び／又は容器１０への逆流を防止する。理解されるように、流入口１３０の寸法
は、逆止弁１３５の材質及び寸法と同様に、カートリッジ１００を通るベース液体が適切
に制御された流量となるように変更可能である。
【００２０】
添加剤リザーバー１２８からベース液体流路に対する計量及び制御された添加剤の流れ
を提供するため、以下で詳述するように、一以上の添加剤計量ポート１２４がカートリッ
ジ基部１２０の内部環状壁１２２に形成される。計量ポート１２４は、内部環状壁１２２
の一部の周囲にマトリクス状に広がる。内部環状壁１２２は、注ぎ口１４０が注ぎ口受容
環状部１２７の内部で回転運動できるように、注ぎ口１４０を受容して固定するための注
ぎ口受容環状部１２７の一部を画定する。以下に説明するように、干渉突出部又はタブ１
２９は、注ぎ口１４０上の計量調整戻り止めと係合するために、カートリッジ基部１２０
に形成される。
【００２１】
注ぎ口１４０は、上部出口部１４２と、戻り止め部１４４と、環状脚１５０を含む。カ
ートリッジ基部１２０を組み立てる際に、環状脚１５０は、内部環状壁１２２によって画
定される環状部１２７内に延在する。環状脚１５０は、その脚部分に形成されて脚部分周
囲の一部に延びる添加剤流スロット１５４を有する添加剤計量部１５２を含む。注ぎ口１
４０がカートリッジ基部１２０に組み付けられると、注ぎ口１４０は、添加剤計量部１５
２が計量ポート１２４を通る流れを許可又は妨げることができるように、矢印Ｒ（図１３
参照）方向に回転可能となる。より詳細には、計量部は、脚１５０の表面が計量ポート１
２４を完全に塞ぐ位置まで回転することができ（図１１参照）、この場合、添加剤はベー
ス液体流路に供給されない（これは、例えば、カートリッジの「水のみ」の設定に相当す
る）。更に、添加剤の流入を所望する場合、注ぎ口１４０及び計量部１５２は、スロット
１５４が計量ポート１２４の一部又は全てに隣接して位置するように回転され、それに対
応する量（レベル）の添加剤の流れが計量ポート１２４を通過してベース液体流路内へ提
供される。このように、ベース液体と混合される添加剤の量は、注ぎ口１４０がカートリ
ッジ基部内で回転することによって調整される。
【００２２】
本発明の他の態様によれば、襟部（collar:環状部）１２１は、カートリッジ基部内に
おける注ぎ口１４０の様々な回転位置に設けられた添加剤の流れ設定に対応する視覚的及
び触覚的なインジケータを有する。インデックス又は他のインジケータ１５８（図１３参
照）は、所定の回転位置に関して、ベース襟部１２１の複数のインジケータ１２３の何れ
か一つと位置が合うように、注ぎ口１４０に設けられている。また、添加剤流路の全閉位
置に対応して、「水のみ」を示すインジケータ１５９をカラー１２１に設けてもよい。
【００２３】
本発明の他の態様によれば、カートリッジ基部１２０及び注ぎ口１４０には、カートリ
ッジ基部に対して注ぎ口１４０の正回転位置を確保する要素が設けられている。更に、図
１１における１４−１４面内におけるカートリッジ基部１２０及び注ぎ口１４０の上面断
面図である図１４を参照すると、干渉タブ又は突出部１２９が、注ぎ口１４０の戻り止め
部１４４に形成された環状スロット１４６内に突出している。このスロットは、突出部１
２９と係合する停止面１４９（図１４参照）を提供するために、戻り止め部１４４の周囲
に部分的に設けられて、カートリッジ基部１２０内の注ぎ口１４０の回転を制限する。一
連の突出するタブ又は戻り止め要素１４５は、突出部１２９と摩擦係合を生じるように延
在する（説明を明確にするために、図１４では、突出部１２９が戻り止め要素１４５と接
触していない場合を示しており、ある程度の重なり、変形及び摩擦が生じることが理解さ
れる）。干渉タブ１２９及び戻り止め要素１４５との相互作用によって、カートリッジ基
部１２０内における注ぎ口１４０の正回転位置を提供する。これらの位置は、ユーザが基
部１２０内における注ぎ口１４０の回転位置及びベース液体に混合される添加剤の対応す
るレベルを読み取ることができるように、襟部１２１の複数のインジケータと一致してい
る。
【００２４】
カートリッジ基部１２０のスレッド付きの保持襟部１２１には、香味強度の上昇を示す
複数のインジケータが設けられている（すなわち、サイズが増加する複数の垂直な突起が
設けられている）。注ぎ口上の対応するインデックス又はポインタ１５８は、基部１２０
内の注ぎ口１４０の回転位置を示す。本発明の一態様によれば、カートリッジには、液滴
形状のインジケータ１５９によって示されるように、「水のみ」のモードが設定されてお
り、カートリッジ基部１２０内の脚１５０の回転位置に対応して、香料計量ポート１２４
が香料計量部１５２によって完全に塞がれる。このモードでは、消費者に必要とされる複
雑な再構成を行うことなく、無香料で濾過したベース液体（水）が容器から供給される。
一方向バルブ又は逆止弁１３５は、水及び／又は香料濃縮物が容器内部に逆流するのを防
止する。
【００２５】
理解されるように、注ぎ口脚１５０を通過するベース液体の流れは、添加剤が計量ポー
ト１２４を通過して流れることで、制御された方法でベース液体に添加剤が混合されるよ
うになる。ユーザは、注ぎ口１４０をカートリッジ基部内で回転させることによって、ベ
ース液体に添加させる添加剤の量を調節することができる。計量ポート１２４の寸法は、
添加剤の適切な流れを提供するように選択することができる。約０．０３インチ（７．６
２×１０−４メートル）の直径を有する計量口は、添加剤リザーバーにおける添加剤液体
の保持（非漏水）を可能にすると共に、計量口を通過してリザーバーへ流れ込むベース液
体の流れを防止する一方で、添加剤液体の適切な計量を提供する。
【００２６】
理解されるように、計量口の直径は、添加剤液体の粘度及び流量を適切にする他のパラ
メータによって変化する。ベース液体内での添加剤の混合及び均一的な希釈を促進するた
めに、乱流生成突起部１５１が流路に設けられる。
【００２７】
逆止弁１３５及び流入口１３０は、容器圧力の範囲（すなわち、可撓性容器の場合、ユ
ーザが圧迫することによって引き起こされる容器圧力の範囲）にわたってベース液体の調
整された流れを提供するために適切な寸法に構成される。カートリッジを通過するベース
液体の流れを更に制御するために、容器へのユーザによる圧迫がカートリッジを通過する
ベース液体の流れ又は添加剤の流れに影響を与えないようにするか、容器が倒れた状態で
流体が重力によって容器から排出され及び流体が均一な速度で流れ出るように、容器１０
は剛性（すなわち、実質的に圧迫不可能で可撓性ではない）容器１０として提供され得る
。キャップ２０（図３参照）における吸気バルブ２６は、容器内部からベース液体が流れ
る際に、空気を補充する（すなわち、真空を防止する）。吸気バルブ２６は、キャップ２
０における開口内で摩擦的及び／又は圧縮的に嵌合する脚部と、容器へ空気を流入させる
一方で、容器からベース液体が流出しないように一以上の通気孔２１を封止する弁当り面
とを備えたシリコーン製の「ボタン」形状の弁であってもよい。
【００２８】
更に理解されるように、適切な熱可塑性ポリマーは、ポリエチレンテレフタレート（ＰＥ
Ｔ）、ポリカーボネート、及び高密度ポリエチレン（ＨＤＰＥ）等を含む前述の複数の要
素を形成するために用いられる。
【００２９】
本発明の様々な態様におけるその他の変更及び変形の実施態様は、当業者には容易に明
らかであり、本発明は本明細書に記載されている特定の実施形態に限定されないことを理
解されたい。したがって、本明細書に記載されている概念の趣旨及び範囲内において、任
意の及び全ての変更、変形又は等価物が本発明に含まれることが意図される。
【図１】
2020182859.tif 000003
【図２】
2020182859.tif 000004
【図３】
2020182859.tif 000005
【図４】
2020182859.tif 000006
【図５】
2020182859.tif 000007
【図６】
2020182859.tif 000008
【図７】
2020182859.tif 000009
【図８】
2020182859.tif 000010
【図９】
2020182859.tif 000011
【図１０】
2020182859.tif 000012
【図１１】
2020182859.tif 000013
【図１２】
2020182859.tif 000014
【図１３】
2020182859.tif 000015
【図１４】
2020182859.tif 000016
【手続補正書】
【提出日】令和2年7月28日(2020.7.28)
【手続補正２】
【補正対象書類名】特許請求の範囲
【補正対象項目名】全文
【補正方法】変更
【補正の内容】
【特許請求の範囲】
【請求項１】
容器内にベース液体を供給することと、
カートリッジを容器に固定することと、
容器からベース液体を分配し、それによりベース液体をカートリッジに流すことと、
ベース液体がカートリッジを通って流れるときに、ベース液体に添加剤を加えることと
を具備するベース液体に添加剤を混合する方法。
【請求項２】
前記ベース液体に添加される添加剤を調整することを更に含む、請求項１に記載のベース液体に添加剤を混合する方法。
【請求項３】
調整器を回転させることにより、前記ベース液体に添加される前記添加剤を調整することを更に含む、請求項２に記載のベース液体に添加剤を混合する方法。
【請求項４】
前記カートリッジ上の調整器を回転させることにより、前記ベース液体に添加される添加剤を調整する工程を更に含む、請求項３に記載のベース液体に添加剤を混合する方法。
【請求項５】
添加剤用の添加剤流路に配置された計量部を調整することにより、ベース液体に添加される添加剤を調整することを更に含む、請求項２に記載のベース液体に添加剤を混合する方法。
【請求項６】
カートリッジ上の注ぎ口を回転させることにより、ベース液体に添加される添加剤を調整することを更に含む、請求項３に記載のベース液体に添加剤を混合する方法。
【請求項７】
前記容器へのベース液体の逆流を防止する工程を更に含む、請求項１に記載のベース液体に添加剤を混合する方法。
【請求項８】
前記ベース液体が前記カートリッジを通って流れるときに、前記添加剤と前記ベース液体との混合を促進することを更に含む、請求項１に記載のベース液体に添加剤を混合する方法。
【請求項９】
乱流生成突起部を使用して、前記添加剤と前記ベース液体との混合を促進することを更に含む、請求項８に記載のベース液体に添加剤を混合する方法。
【請求項１０】
前記カートリッジを第２の添加剤を有する第２のカートリッジに交換することと、前記ベース液体が前記容器から分配されるときに前記第２の添加剤を前記ベース液体に加えることとを更に含む、請求項１に記載のベース液体に添加剤を混合する方法。
【請求項１１】
インジケータを用いて前記ベース液体に添加される前記添加剤の量を示すことを更に含む、請求項１に記載のベース液体に添加剤を混合する方法。
【請求項１２】
少なくとも１つの計量調整戻り止めを使用して調整の正の位置を提供することを更に含む、請求項２に記載のベース液体に添加剤を混合する方法。
【請求項１３】
前記添加剤を加える前に前記ベース液体を濾過する工程を更に含む、請求項１に記載のベース液体に添加剤を混合する方法。
【請求項１４】
前記添加剤が前記ベース液体に添加されるのを防止するために添加剤を調整し、それにより、容器から添加剤なしでベース液体のみを分配する工程を更に含む、請求項１に記載のベース液体に添加剤を混合する方法。
【請求項１５】
前記容器内の前記ベース液体の供給を混合されていない純粋な状態に維持することを更に含む、請求項１に記載のベース液体に添加剤を混合する方法。
【請求項１６】
キャップを容器に固定し、カートリッジをキャップに固定することを更に含む、請求項１に記載のベース液体に添加剤を混合する方法。
【請求項１７】
容器内にベース液体を供給することと、
添加剤の供給を含むカートリッジを容器に固定することと、
前記容器から前記ベース液体を分配し、それにより前記ベース液体を前記カートリッジに流すことと、
前記ベース液体が前記カートリッジを通って流れるときに、前記ベース液体が前記カートリッジを通って流れるのに応じて、前記ベース液体に前記添加剤を加えることと
を具備するベース液体に添加剤を混合する方法。
【外国語明細書】
2020182859000001.pdf